(57)【特許請求の範囲】
【請求項１】
選択チャネルに係るＩＦ信号のＲＳＳＩレベルを、自動利得制御手段により増幅する前のＩＦ信号に基づき検出するＲＳＳＩレベル検出手段、
該ＩＦ信号を自動利得制御手段により増幅してから検波して生成した検波信号のレベルを検出する検波信号レベル検出手段、
ＲＳＳＩレベル及び検波信号レベルの合成値を所定の合成式に基づき算出する合成値算出手段、及び
選択チャネルにおけるＲＳＳＩレベル、検波信号レベル及び合成値をそれぞれ対応する所定の基準値と対比し、対比に基づき選択チャネルに隣接するチャネルの使用状態を判定する判定手段、
を備えていることを特徴とする受信信号判定装置。
【請求項２】
選択チャネル及び隣接チャネルがそれぞれ使用及び不使用の状態となっているチャネル使用状態において、選択チャネルのアンテナ入力レベルを徐々に増大していくときのアンテナ入力レベルに対するＲＳＳＩレベル、検波信号レベル、及び合成値の各特性線を求め、検波信号レベル特性線における検波信号レベルの上昇開始時のアンテナ入力レベルと上昇終了時のアンテナ入力レベルとの間のアンテナ入力レベルの区間を検波信号レベル上昇区間と定義し、
前記検波信号レベル上昇区間をアンテナ入力レベルの小さい方から順番に低域、中域、及び高域の３個のサブ区間に区分けし、
合成値特性線及び検波信号レベル特性線において中域サブ区間の第１のアンテナ入力レベルに対する合成値及び検波信号レベルをそれぞれ第１及び第２の基準値と定義し、
前記検波信号レベル特性線及びＲＳＳＩレベル特性線において高域サブ区間の第２のアンテナ入力レベルに対する検波信号レベル及びＲＳＳＩレベルをそれぞれ第３及び第４の基準値と定義し、
ＲＳＳＩレベルに対応する所定の基準値は第４の基準値とし、
検波信号レベルに対応する所定の基準値は第２及び第３の基準値とし、
合成値に対応する所定の基準値は第１の基準値とすることを特徴とする請求項１記載のチャネル使用状態判定装置。
【請求項３】
前記判定手段は、選択チャネルにおける合成値が第１の基準値以上であり、選択チャネルにおける検波信号レベルが第２の基準値以上であり、かつ選択チャネルにおけるＲＳＳＩレベルが第４の基準値未満である場合、隣接チャネルは不使用状態と判定することを特徴とする請求項２記載のチャネル使用状態判定装置。
【請求項４】
前記判定手段は、選択チャネルにおける検波信号レベルが第３の基準値以上であり、かつ選択チャネルにおけるＲＳＳＩレベルが第４の基準値以上である場合、隣接チャネルは不使用状態と判定することを特徴とする請求項２又は３記載のチャネル使用状態判定装置。
【請求項５】
前記判定手段は、選択チャネルにおける合成値が第１の基準値未満であり、かつ選択チャネルにおけるＲＳＳＩレベルが第４の基準値未満である場合、隣接チャネルは不使用状態と判定することを特徴とする請求項２〜４のいずれかに記載のチャネル使用状態判定装置。
【請求項６】
前記判定手段は、選択チャネルにおける合成値が第１の基準値以上である場合に、選択チャネルにおける検波信号レベルが第２の基準値未満であるとき、又は選択チャネルにおけるＲＳＳＩレベルが第４の基準値未満であるとき、隣接チャネルは使用状態と判定することを特徴とする請求項２〜５のいずれかに記載のチャネル使用状態判定装置。
【請求項７】
前記判定手段は、選択チャネルにおける合成値が第１の基準値未満であり、かつ選択チャネルにおけるＲＳＳＩレベルが第４の基準値以上である場合、隣接チャネルは使用状態と判定することを特徴とする請求項２〜６のいずれかに記載のチャネル使用状態判定装置。
【請求項８】
選択チャネルに係るＩＦ信号のＲＳＳＩレベルを、自動利得制御手段により増幅する前のＩＦ信号に基づき検出するステップ、
該ＩＦ信号を自動利得制御手段により増幅してから検波して生成した検波信号のレベルを検出するステップ、
ＲＳＳＩレベル及び検波信号レベルの合成値を所定の合成式に基づき算出するステップ、及び
選択チャネルにおけるＲＳＳＩレベル、検波信号レベル及び合成値をそれぞれ対応する所定の基準値と対比し、対比に基づき選択チャネルに隣接するチャネルの使用状態を判定するステップ、
を備えていることを特徴とするチャネル使用状態判定方法。
【発明の詳細な説明】
【技術分野】
【０００１】
本発明は、例えば無線通信において隣接チャネルの使用状態を判定するチャネル使用状態判定装置及び方法に関するものである。
【背景技術】
【０００２】
特許文献１は、ＲＳＳＩ（Receiving Signal Strength Indicator）レベル及び受信尤度を検出して、希望波（選択チャネルの受信信号）が弱電界であるか、強電界であるか、希望波に妨害波や隣接チャネルからの干渉波が混入しているかを判定することを開示する（特許文献１の段落００４７，００４９，００５２，００５７，００７１、図７、図１０及び図１１）。
【０００３】
従来の無線通信機では、選択チャネルに希望波があるか否かを判定するために、（ａ）ＲＳＳＩレベルの検出機能付きＩＦ＿ＩＣ（例：後述の図１のＩＦ＿ＩＣ１３）からＩＦ信号のＲＳＳＩレベルを出力させて、ＲＳＳＩレベルに基づき判定したり、（ｂ）無線通信機がＤＳＰ（例：後述の図１のＤＳＰ３１）を装備する場合には、ＩＦ＿ＩＣから取り出したＲＳＳＩ信号のレベルと、ＡＧＣ（Auto Gain Control）機能付きＩＦ＿ＩＣ（例：後述の図１のＩＦ＿ＩＣ１３）の出力をＤＳＰにおいて、デジタルフィルタに処理した後、検波して、検出する検波信号レベルとから所定の合成式（例：後述する（１）式）で合成値を算出して、合成値に基づき判定したりしている。
【０００４】
無線通信機において、隣接チャネル間の周波数間隔は、例えば幅広（Wide：25kHz Channel Space）及び幅狭（Narrow：12.5kHz Channel Space）が存在しており、選択チャネルに隣接するチャネルが使用状態となっている場合には、選択チャネルの第２ＩＦ信号に隣接チャネルの受信信号が混入する。したがって、（ａ）及び（ｂ）の方式で判定する場合には、隣接チャネル間の周波数間隔の幅広（Wide）及び幅狭（Narrow）の各設定に応じて、第２ＩＦ信号を幅広用バンドパスフィルタ（例：後述の図１の幅広用バンドパスフィルタ１８）又は幅狭用バンドパスフィルタ（例：後述の図１の幅狭用バンドパスフィルタ１９）に通し、通過後の信号に基づきＲＳＳＩレベルや検波信号レベルを取り出している。
【０００５】
なお、（ａ）の方式、すなわちＲＳＳＩレベルのみにより判定を行なう方式では、ＲＳＳＩレベルが小さいアンテナ入力レベル領域において的確な判定を行なうことができないのに対し、（ｂ）はその問題点に対処できる利点をもっている。
【特許文献１】特開２００２−７６９５６号公報
【発明の開示】
【発明が解決しようとする課題】
【０００６】
隣接チャネル間の周波数間隔には、幅狭（Narrow）よりさらに狭い極狭（Very Narrow：6.25kHz Channel Space）が設定されることがある。図７は希望周波数（選択チャネルの中心周波数）と隣接チャネルの受信信号の影響を排除するのに使用するバンドパスフィルタの通過帯域との関係を示している。極狭用のバンドパスフィルタは、幅広用バンドパスフィルタ及び幅狭用バンドパスフィルタに対して急峻な減衰特性を必要とするために、実現が難しいか、コスト上昇原因になる。また、幅広用及び幅狭用のバンドパスフィルタに加えて極狭用のバンドパスフィルタを追加することは、無線通信機における実装スペースの増大及びコスト上昇を招来する。
【０００７】
極狭用アナログバンドパスフィルタの代わりにＤＳＰによるデジタルバンドパスフィルタを採用すれば、隣接チャネルの信号成分は、バンドパスフィルタの通過帯域から確実に除外することができるが、デジタルバンドパスフィルタを通過した信号成分が、選択チャネルの受信信号のものであるのか、隣接チャネルの受信信号の一部であるかは、的確に判別することは困難である。
【０００８】
特許文献１の装置において、隣接チャネルの受信信号が選択チャネルへ及ぼす影響を尤度により検出する方式は、受信周波数がｆｃ＋ｆｄとｆｃ−ｆｄとの間で行き来する受信信号にのみ適用可能である（特許文献１の図５）。
【０００９】
本発明の目的は、隣接チャネル間の周波数間隔が非常に狭い場合にも、それに対応する通過帯域のアナログ及びデジタルのバンドパスフィルタを省略しつつ、隣接チャネルの使用状態を精確に判定できるチャネル使用状態判定装置及び方法を提供することである。
【課題を解決するための手段】
【００１０】
本発明のチャネル使用状態判定装置は次のものを有している。
選択チャネルに係るＩＦ信号のＲＳＳＩレベルを、自動利得制御手段により増幅する前のＩＦ信号に基づき検出するＲＳＳＩレベル検出手段、
該ＩＦ信号を自動利得制御手段により増幅してから検波して生成した検波信号のレベルを検出する検波信号レベル検出手段、
ＲＳＳＩレベル及び検波信号レベルの合成値を所定の合成式に基づき算出する合成値算出手段、及び
選択チャネルにおけるＲＳＳＩレベル、検波信号レベル及び合成値をそれぞれ対応する所定の基準値と対比し、対比に 基づき選択チャネルに隣接するチャネルの使用状態を判定する判定手段。
【００１１】
本発明のチャネル使用状態判定方法は次のステップを備えている。
選択チャネルに係るＩＦ信号のＲＳＳＩレベルを、自動利得制御手段により増幅する前のＩＦ信号に基づき検出するステップ、
該ＩＦ信号を自動利得制御手段により増幅してから検波して生成した検波信号のレベルを検出するステップ、
ＲＳＳＩレベル及び検波信号レベルの合成値を所定の合成式に基づき算出するステップ、及び
選択チャネルにおけるＲＳＳＩレベル、検波信号レベル及び合成値をそれぞれ対応する所定の基準値と対比し、対比に基づき選択チャネルに隣接するチャネルの使用状態を判定するステップ。
【発明の効果】
【００１２】
本発明によれば、ＲＳＳＩレベル、検波信号レベル及び合成値をそれぞれ対応する所定の基準値と対比することにより、選択チャネルに隣接するチャネルが使用状態になっているか否かを明確に判定することができる。
【発明を実施するための最良の形態】
【００１３】
図１は無線通信機１０の構成図である。アンテナ１１に受信された受信信号は第１ＩＦ信号用ミキサ１２へ送られる。第１ＩＦ信号用ミキサ１２は、選択チャネルに対応する周波数の第１ローカル発振信号と、アンテナ１１から入力される受信信号とを乗算し、所定周波数の第１ＩＦ信号を生成する。
【００１４】
ＩＦ＿ＩＣ１３は第２ＩＦ信号用ミキサ１４及び自動利得アンプ１５を含む。入力側スイッチ２２及び出力側スイッチ２３は、切替位置を制御され、第２ＩＦ信号用ミキサ１４の出力端子と自動利得アンプ１５の入力端子との間に、幅広用バンドパスフィルタ１８及び幅狭用バンドパスフィルタ１９のどちらかを挿入する。隣接チャネル間の周波数間隔が幅広（Wide）となっている場合には、幅広用バンドパスフィルタ１８が第２ＩＦ信号用ミキサ１４−自動利得アンプ１５間に組み込まれ、また、幅狭（Narrow）となっている場合には、幅狭用バンドパスフィルタ１９が第２ＩＦ信号用ミキサ１４−自動利得アンプ１５間に組み込まれる。
【００１５】
第２ＩＦ信号用ミキサ１４は、第１ＩＦ信号用ミキサ１２からの第１ＩＦ信号と、所定周波数の第２ローカル発振信号とを乗算し、所定周波数の第２ＩＦ信号を生成する。自動利得アンプ１５は、出力信号のレベルが所定レベルとなるように、利得を自動制御して、出力側スイッチ２３からの第２ＩＦ信号を増幅する。自動利得アンプ１５は、各瞬間の利得及びＲＳＳＩレベル（自動利得アンプ１５の入力信号レベルであり、以降、適宜、「ＲＳＳＩ＿１」と呼ぶことにする。）を外部へ出力する。
【００１６】
固定利得アンプ２６は、自動利得アンプ１５からの第２ＩＦ信号を増幅し、Ａ／Ｄコンバータ２８へ送る。Ａ／Ｄコンバータ２８は、固定利得アンプ２６からの入力信号をデジタル信号へ変換し、ＤＳＰ３１へ出力する。ＤＳＰ３１は、Ａ／Ｄコンバータ２８からの第２ＩＦ信号をデジタル処理して検波信号を生成し、該検波信号のレベルをＲＳＳＩ＿２としてＣＰＵ３２へ送る。
【００１７】
ＣＰＵ３２は、次式に基づき合成値Ｇを算出する。ただし、Ｂは定数である。
Ｇ＝ＲＳＳＩ＿１＋Ｌｏｇ10ＲＳＳＩ＿２＋Ｂ・・・（１）
【００１８】
（１）式の意味は、ＲＳＳＩ＿２をＲＳＳＩ＿１レベル基準に換算して、該換算レベルとＲＳＳＩ＿１レベルと所定の補正値Ｂとを加算するものである。
【００１９】
以降、図２〜図４を参照する説明では、隣接チャネル間の周波数間隔が極狭（Very Narrow：6.25kHz Channel Space）に設定されており、選択チャネル及び隣接チャネルが該周波数間隔で定義されているものとする。また、図２〜図４の各特性は、入力側スイッチ２２及び出力側スイッチ２３が、幅狭用バンドパスフィルタ１９を第２ＩＦ信号用ミキサ１４−自動利得アンプ１５間に介在させている切替位置にある場合のものとなっている。
【００２０】
図２は選択チャネルに対して上下両側の隣接チャネルが共に不使用状態になっている場合に選択チャネルの受信信号に係るアンテナ入力レベルを徐々に増大して行くときの選択チャネルにおける合成値等の特性を示すグラフである。図３は選択チャネル及び下側の隣接チャネルが不使用状態になっている場合に上側の隣接チャネルに係るアンテナ入力レベルを徐々に増大して行くときの合成値等の特性を示すグラフである。図４は、下側の選択チャネルが不使用状態にあり、選択チャネルが使用状態になっていて、選択チャネルの受信信号に係るアンテナ入力レベルが−１１８ｄＢとなっている場合に、上側の隣接チャネルに係るアンテナ入力レベルを徐々に増大して行くときの選択チャネルにおける合成値等の特性を示すグラフである。
【００２１】
図２〜図４において、横軸はアンテナ入力レベル、縦軸はＲＳＳＩ＿１、ＲＳＳＩ＿２及び合成値Ｇの検出レベルとなっている。ＲＳＳＩ＿１及びＲＳＳＩ＿２は、図１の自動利得アンプ１５及びＤＳＰ３１から出力されるものであり、ＧはＲＳＳＩ＿１及びＲＳＳＩ＿２から前述の（１）式に基づき算出した値を示す。また、ＲＳＳＩ＿１，ＲＳＳＩ＿２，Ｇは、図示の便宜上、縦軸を共通にしているが、縦軸におけるそれらの座標値が同一であっても、それらの検出レベルが等しいことを意味しない。換言すると、図２〜図４では、便宜上、ＲＳＳＩ＿１，ＲＳＳＩ＿２，Ｇの縦軸を共通にしているが、それらの値を正確に表示するためには、ＲＳＳＩ＿１，ＲＳＳＩ＿２，Ｇの縦軸を個々に設定して、各縦軸に対応数値を独立に付す必要がある。
【００２２】
図２において、ＲＳＳＩ＿２検出レベルは、アンテナ入力レベルの増大に対して、アンテナ入力レベルが−１３０ｄＢｍより少し上の値になると、上昇開始し、アンテナ入力レベルがおおよそ−１１０ｄＢｍ近辺になると、上昇を終了し、以降、フラットになる。自動利得アンプ１５は、ＲＳＳＩ＿２がフラットになるまでのアンテナ入力レベル範囲では、最大利得で第２ＩＦ信号を増幅しており、ＲＳＳＩ＿２検出レベルがフラットになっているアンテナ入力レベル範囲では、ＡＧＣ機能のために最大利得未満になっている。ＲＳＳＩ＿２検出レベルが上昇開始してから上昇終了するまでのアンテナ入力レベルの区間を「検波信号レベル上昇区間」と呼ぶことにする。
【００２３】
図２において、アンテナ入力レベルに関するＡ１，Ａ２は次のように定義される。前述の検波信号レベル上昇区間を、アンテナ入力レベルの小さい方から順番に、低域、中域、及び高域の３個のサブ区間に区分けする。Ａ１は、中域サブ区間に属するアンテナ入力レベルとして定義され、例えば−１１９ｄＢｍである。Ａ２は、高域サブ区間に属するアンテナ入力レベルとして定義される。Ａ２は、典型的には、ＲＳＳＩ＿２の検出レベルが上昇終了する少し前のアンテナ入力レベルである。
【００２４】
Ｐ１〜Ｐ４は次のように定義される。
Ｐ１：アンテナ入力レベル＝Ａ１のときのＧ特性線上の点。
Ｐ２：アンテナ入力レベル＝Ａ１のときのＲＳＳＩ＿２特性線上の点。
Ｐ３：アンテナ入力レベル＝Ａ２のときのＲＳＳＩ＿２特性線上の点。
Ｐ４：アンテナ入力レベル＝Ａ２のときのＲＳＳＩ＿１特性線上の点。
【００２５】
Ｒ１〜Ｒ４は次のように定義する。
Ｒ１：Ｐ１における合成値
Ｒ２：Ｐ２におけるＲＳＳＩ＿２検出レベル。
Ｒ３：Ｐ３におけるＲＳＳＩ＿２検出レベル。
Ｒ４：Ｐ４におけるＲＳＳＩ＿１検出レベル。
【００２６】
図２では、さらに、Ｒ５，Ｒ６が次のように定義されている。
Ｒ５：ＲＳＳＩ＿２の特性線がフラット状態になっているときのＲＳＳＩ＿２検出レベル．
Ｒ６：ＲＳＳＩ＿１の特性線がフラット状態になっているときのＲＳＳＩ＿１検出レベル．
【００２７】
典型的には、Ｒ３はＲ５より少し小さい値として設定される。また、Ｒ４はＲ６より少し大きい値として設定される。
【００２８】
下記の条件Ｖ１〜Ｖ３，Ｗ１，Ｗ２を定義する。そして、条件Ｖ１〜Ｖ３の少なくとも１個が成立するとき、隣接チャネルは不使用状態と判定する。また、条件Ｗ１及びＷ２の少なくとも一個が成立するとき、隣接チャネルは使用状態であると判定する。
【００２９】
なお、条件Ｖ３が成立するときに、隣接チャネルは不使用状態と判定するのは、実際に不使用状態になっているほかに、実際には使用状態であっても、隣接チャネルの受信信号が選択チャネルの受信信号に与えている影響が無視でき、隣接チャネルが実質的に不使用状態であるということを含んでいる。また、下記条件でレベルを検出されているＲＳＳＩ＿１，ＲＳＳＩ＿２，Ｇは、選択チャネルにおける受信信号に係るＲＳＳＩ＿１，ＲＳＳＩ＿２，Ｇであり、入力側スイッチ２２及び出力側スイッチ２３は幅狭用バンドパスフィルタ１９を選択している。
【００３０】
条件Ｖ１：合成値がＲ１以上であり、ＲＳＳＩ＿２がＲ２以上であり、かつＲＳＳＩ＿１がＲ４未満であること。
【００３１】
条件Ｖ２：ＲＳＳＩ＿２がＲ３以上であり、かつＲＳＳＩ＿１がＲ４以上であること。
【００３２】
条件Ｖ３：合成値がＲ１未満であり、かつＲＳＳＩ＿１がＲ４未満であること。
【００３３】
条件Ｗ１：合成値がＲ１以上である場合に、ＲＳＳＩ＿２がＲ２未満であるか、又はＲＳＳＩ＿１がＲ４以上であるかであること。
【００３４】
条件Ｗ２：合成値がＲ１未満であり、かつＲＳＳＩ＿１がＲ４以上である。
【００３５】
図２の場合、すなわち、選択チャネルは使用状態で、上下両側の隣接チャネルは不使用状態である場合について考察してみる。
【００３６】
アンテナ入力レベル＜Ａ１の範囲では、ＲＳＳＩ＿１＝Ｒ６であり、すなわちＲＳＳＩ＿１＜Ｒ４であるので、条件Ｖ３が成立する。Ａ１≦アンテナ入力レベル＜Ａ２の範囲では、Ｇ≧Ｒ１、ＲＳＳＩ＿２≧Ｒ２、かつＲＳＳＩ＿１＜Ｒ４であるので、条件Ｖ１が成立する。また、Ａ２≦アンテナ入力レベルの範囲では、ＲＳＳＩ＿２≧Ｒ３、かつＲＳＳＩ＿１≧Ｒ４であるので、条件Ｖ２が成立する。
【００３７】
したがって、図２の場合に対しては、上記条件群を矛盾無く適用できる。
【００３８】
図３の場合、すなわち、選択チャネル及び下側の隣接チャネルは不使用状態で、上側の隣接チャネルは使用状態である場合について考察する。
【００３９】
アンテナ入力レベル＜Ａ５の範囲では、Ｇ＜Ｒ１かつＲＳＳＩ＿１＜Ｒ４であるので、条件Ｖ３が成立する。条件Ｖ３の成立は、隣接チャネルが不使用状態を意味するが、前述したように、条件Ｖ３の成立時には、隣接チャネルが使用状態であっても、隣接チャネルの受信信号が選択チャネルの受信信号へ与える影響は無視することができるので、実質的に、隣接チャネルは不使用状態としてよい。
【００４０】
Ａ５≦アンテナ入力レベル＜Ａ６の範囲では、Ｇ＜Ｒ１かつＲＳＳＩ＿１≧Ｒ４であり、条件Ｗ２が成立する。Ａ６≦アンテナ入力レベルの範囲では、Ｇ≧Ｒ１かつＲＳＳＩ＿２＜Ｒ２であり、条件Ｗ１が成立する。
【００４１】
したがって、図３の場合に対しては、上記条件群を矛盾無く適用できる。
【００４２】
図４の場合、すなわち、下側の隣接チャネルは不使用状態で、選択チャネル及び上側の隣接チャネルは使用状態である場合について考察する。
【００４３】
アンテナ入力レベル＜Ａ９の範囲では、Ｇ＜Ｒ１かつＲＳＳＩ＿１＜Ｒ４である。したがって、条件Ｖ３が成立する。条件Ｖ３の成立は、隣接チャネルが不使用状態を意味するが、前述したように、隣接チャネルの受信信号が選択チャネルの受信信号へ与える影響は無視することができ、実質的に、隣接チャネルは不使用状態としてよい。
【００４４】
Ａ９≦アンテナ入力レベル＜Ａ１０の範囲、及びＡ１１≦アンテナ入力レベル＜Ａ１２の範囲では、合成値＜Ｒ１かつＲＳＳＩ＿１のレベル≧Ｒ４であり、条件Ｗ２が成立する。
【００４５】
Ａ１０≦アンテナ入力レベル＜Ａ１１の範囲、及びＡ１２＜アンテナ入力レベルの範囲では、Ｇ≧Ｒ１かつＲＳＳＩ＿２＜Ｒ２であるので、条件Ｗ１が成立する。
【００４６】
したがって、図４の場合に対しては、上記条件群を矛盾無く適用できる。
【００４７】
図５はチャネル使用状態判定装置５０のブロック図である。チャネル使用状態判定装置５０は、ＲＳＳＩ検出手段５１、検波信号レベル検出手段５２、合成値算出手段５３、及び判定手段５４を備えている。チャネル使用状態判定装置５０の具体例は、前述の無線通信機１０において、ＲＳＳＩ＿１を出力する自動利得アンプ１５と、ＲＳＳＩ＿２を出力するＤＳＰ３１と、合成値Ｇを算出するＣＰＵ３２とが構成する部分である。
【００４８】
ＲＳＳＩ検出手段５１は、選択チャネルに係るＩＦ信号のＲＳＳＩレベルを、自動利得制御手段により増幅する前のＩＦ信号に基づき検出する。検波信号レベル検出手段５２は、該ＩＦ信号を自動利得制御手段により増幅してから検波して生成した検波信号のレベルを検出する。
【００４９】
合成値算出手段５３は、ＲＳＳＩレベル及び検波信号レベルの合成値を所定の合成式に基づき算出する。判定手段５４は、選択チャネルにおけるＲＳＳＩレベル、検波信号レベル及び合成値をそれぞれ対応する所定の基準値と対比し、対比に基づき選択チャネルに隣接するチャネルの使用状態を判定する。
【００５０】
ＲＳＳＩ検出手段５１、検波信号レベル検出手段５２及び合成値算出手段５３のそれぞれの具体例は、無線通信機１０における自動利得アンプ１５、ＤＳＰ３１及びＣＰＵ３２である。合成式の具体例は前述の（１）式である。自動利得制御手段の具体例は自動利得アンプ１５（図１）である。
【００５１】
例えば、選択チャネル及び隣接チャネルがそれぞれ使用及び不使用の状態となっているチャネル使用状態において、選択チャネルのアンテナ入力レベルを徐々に増大していくときのアンテナ入力レベルに対するＲＳＳＩレベル、検波信号レベル、及び合成値の各特性線を求め、検波信号レベル特性線における検波信号レベルの上昇開始時のアンテナ入力レベルと上昇終了時のアンテナ入力レベルとの間のアンテナ入力レベルの区間を検波信号レベル上昇区間と定義する。さらに、検波信号レベル上昇区間をアンテナ入力レベルの小さい方から順番に低域、中域、及び高域の３個のサブ区間に区分けする。
【００５２】
好ましくは、第１〜第４の基準値を次のように定義する。
第１及び第２の基準値：それぞれ合成値特性線及び検波信号レベル特性線において中域サブ区間の第１のアンテナ入力レベルに対する合成値及び検波信号レベルの値。
第３及び第４の基準値：それぞれ検波信号レベル特性線及びＲＳＳＩレベル特性線において高域サブ区間の第２のアンテナ入力レベルに対する検波信号レベル及びＲＳＳＩレベルの値。
【００５３】
そして、ＲＳＳＩレベルに対応する所定の基準値は第４の基準値とし、検波信号レベルに対応する所定の基準値は第２及び第３の基準値とし、合成値に対応する所定の基準値は第１の基準値とすることができる。第１〜第４の基準値の具体例は、図３のＲ１〜Ｒ４である。
【００５４】
好ましくは、判定手段５４は、選択チャネルにおける合成値が第１の基準値以上であり、選択チャネルにおける検波信号レベルが第２の基準値以上であり、かつ選択チャネルにおけるＲＳＳＩレベルが第４の基準値未満である場合（例：前述の条件Ｖ１成立）、隣接チャネルは不使用状態と判定する。
【００５５】
好ましくは、判定手段５４は、選択チャネルにおける検波信号レベルが第３の基準値以上であり、かつ選択チャネルにおけるＲＳＳＩレベルが第４の基準値以上である場合（例：前述の条件Ｖ２成立）、隣接チャネルは不使用状態と判定する。
【００５６】
好ましくは、判定手段５４は、選択チャネルにおける合成値が第１の基準値未満であり、かつ選択チャネルにおけるＲＳＳＩレベルが第４の基準値未満である場合（例：前述の条件Ｖ３成立）、隣接チャネルは不使用状態と判定する。
【００５７】
好ましくは、判定手段５４は、選択チャネルにおける合成値が第１の基準値以上である場合に、選択チャネルにおける検波信号レベルが第２の基準値未満であるとき、又は選択チャネルにおけるＲＳＳＩレベルが第４の基準値未満であるとき（例：前述の条件Ｗ１成立）、隣接チャネルは使用状態と判定する。
【００５８】
好ましくは、判定手段５４は、選択チャネルにおける合成値が第１の基準値未満であり、かつ選択チャネルにおけるＲＳＳＩレベルが第４の基準値以上である場合（例：前述の条件Ｗ２成立）、隣接チャネルは使用状態と判定する。
【００５９】
こうして、チャネル使用状態判定装置５０は、隣接チャネル間の周波数間隔が非常に狭い場合にも、急峻な減衰特性のアナログ又はデジタルのバンドパスフィルタを省略して、隣接チャネルが使用状態となっているか否かを的確に判定することができる。
【００６０】
図６はチャネル使用状態判定方法７０のフローチャートである。Ｓ７１では、選択チャネルに係るＩＦ信号のＲＳＳＩレベル（例：図２のＲＳＳＩ＿１）を、自動利得制御手段により増幅する前のＩＦ信号に基づき検出する。Ｓ７２では、該ＩＦ信号を自動利得制御手段により増幅してから検波して生成した検波信号のレベル（例：図２のＲＳＳＩ＿２）を検出する。
【００６１】
Ｓ７３では、ＲＳＳＩレベル及び検波信号レベルの合成値（例：図２のＧ）を所定の合成式に基づき算出する。Ｓ７４では、選択チャネルにおけるＲＳＳＩレベル、検波信号レベル及び合成値をそれぞれ対応する所定の基準値（例：Ｒ１〜Ｒ４）と対比し、対比に基づき選択チャネルに隣接するチャネルの使用状態を判定する。
【００６２】
チャネル使用状態判定方法７０も、例えば無線通信機に適用される。チャネル使用状態判定方法７０の各基準値は、チャネル使用状態判定装置５０における各基準値と同一であり、チャネル使用状態判定装置５０における各基準値の具体例は、チャネル使用状態判定方法７０の各基準値の具体例として適用可能である。
【００６３】
本発明を各種具体的形態について説明したが、本発明は、これに限定されるものではなく、発明の要旨を逸脱しない範囲で、各種具体的形態における各構成要素を変形（削除も含む。）して具体化できる。また、各種具体的形態間の構成要素の置換したり、各種具体的形態の複数の構成要素を組み合わせたりすることにより、種々の発明を形成することもできる。
【図面の簡単な説明】
【００６４】
【図１】無線通信機の構成図である。
【図２】選択チャネルに対して上下両側の隣接チャネルが共に不使用状態になっている場合のアンテナ入力レベル−合成値等の特性を示すグラフである。
【図３】選択チャネル及び下側の隣接チャネルが不使用状態になっている場合にアンテナ入力レベル−合成値等の特性を示すグラフである。
【図４】下側の選択チャネルが不使用状態にあり、選択チャネルが使用状態になっていて、選択チャネルの受信信号に係るアンテナ入力レベルが所定値となっている場合のアンテナ入力レベル−合成値等の特性を示すグラフである。
【図５】チャネル使用状態判定装置のブロック図である。
【図６】チャネル使用状態判定方法のフローチャートである。
【図７】希望周波数と隣接チャネルの受信信号の影響を排除するのに使用するバンドパスフィルタの通過帯域との関係を示す図である。
【符号の説明】
【００６５】
５０：チャネル使用状態判定装置、５１：ＲＳＳＩ検出手段、５２：検波信号レベル検出手段、５３：合成値算出手段、５４：判定手段、７０：チャネル使用状態判定方法。
【図１】
0004588661.tif 000002
【図２】
0004588661.tif 000003
【図３】
0004588661.tif 000004
【図４】
0004588661.tif 000005
【図５】
0004588661.tif 000006
【図６】
0004588661.tif 000007
【図７】
0004588661.tif 000008